(57)【要約】【課題】使用者が本当にその日の服装や気分に合ったアクセサリーを着用することができ、かつ、ストレスが解消されてリラックスできる耳用の装飾具を提供する。【解決手段】使用者が耳に装着する留め具を有する耳用の装飾具１０であって、使用者が所有する携帯情報端末１と情報の送受信を可能にする通信部２と、装飾具１０を使用者の耳に装着した場合に、他の人から見える位置に設けられた表示部３と、通信部２を介して、携帯情報端末１からの情報を取得し、当該情報を内部に記憶する記憶部４と、記憶部４に記憶されている情報に基づいて、表示部３に画像または映像を表示させる表示制御部５と、装飾具１０を使用者の耳に装着した場合に、使用者の脳に対して超音波を出力する超音波スピーカ６と、記憶部４に記憶されている情報に基づいて、超音波スピーカ６から出力する超音波の波動を決定する波動決定部７とを備える。【選択図】図３
2018074460.tif 000002
【特許請求の範囲】
【請求項１】
使用者が耳に装着する留め具を有する耳用の装飾具であって、
前記使用者が所有する携帯情報端末と情報の送受信を可能にする通信部と、
前記装飾具を前記使用者の耳に装着した場合に、他の人から見える位置に設けられた表示部と、
前記通信部を介して、前記携帯情報端末からの情報を取得し、当該情報を内部に記憶する記憶部と、
前記記憶部に記憶されている情報に基づいて、前記表示部に画像または映像を表示させる表示制御部と、
前記装飾具を前記使用者の耳に装着した場合に、前記使用者の脳に対して超音波を出力する超音波スピーカと、
前記記憶部に記憶されている情報に基づいて、前記超音波スピーカから出力する超音波の波動を決定する波動決定部と
を備えることを特徴とする耳用の装飾具。
【請求項２】
前記耳に装着する留め具の部分に、前記使用者の心拍数を計測する心拍数計測部をさらに備え、
前記記憶部は、前記心拍数計測部により計測された前記使用者の心拍数を記憶し、
前記波動決定部は、前記記憶部に記憶されている情報のうち、前記心拍数計測部において計測された前記使用者の心拍数に応じて、前記超音波スピーカから出力させる前記超音波の波動の種類を決定する
ことを特徴とする請求項１記載の耳用の装飾具。
【請求項３】
前記心拍数計測部により計測された心拍数に基づいて、前記使用者の心理状態や健康状態を判断する心理健康状態判断部をさらに備え、
前記記憶部は、前記心理健康状態判断部により判断された前記使用者の心理状態や健康状態を記憶し、
前記表示制御部は、前記記憶部に記憶されている情報のうち、前記心理健康状態判断部により判断された心理状態や健康状態に基づいて、前記表示部に表示されている画像または映像の表示を、その判断された心理状態や健康状態に応じた発色パターンに変化させる
ことを特徴とする請求項２記載の耳用の装飾具。
【発明の詳細な説明】
【技術分野】
【０００１】
この発明は、イヤリングやピアス等の、耳用の装飾具に関するものである。
【背景技術】
【０００２】
従来より、おしゃれを楽しむ人々が使用する耳用の装飾具として、イヤリングやピアス等のアクセサリー（装飾具）が用いられている。一般的に、女性は１人あたり平均で約２０〜４０個のイヤリングまたはピアスを所有しているという統計があるように、通常は様々なデザインのアクセサリーを複数（多数）所持している中から、その日の服装や気分に合わせて、身につけるアクセサリーを選んで着用している。
【０００３】
しかし、その場合には、１人の人間が複数（多数）のイヤリングやピアス等のアクセサリーを購入して所持している必要があるが、たくさんの費用がかかってしまう。そのため、色違いの同じデザインのものが欲しくても我慢したり、妥協したりして、ある程度の品数にとどめているのが現状であり、使用者が本当にその日の服装や気分に合ったアクセサリーを着用することができないことも、ストレスの原因の１つとなっている。また、ストレスの多い現代社会においては、様々な場面において、リラックスした状態を保つことが難しい。
【０００４】
一方、近年では女性に限らず男性もイヤリングやピアス等の耳用のアクセサリーを着用する場合も増えてきており、デザインの多様化が進んでいる。
そこで、このような問題に対処するために、イヤリングやピアス等のアクセサリーの色を変化させるものとして、例えば特許文献１には、色変更手段と端末との通信手段とを備え、端末より色情報を送信することにより色変更可能なアクセサリーシステムが開示されている。
【先行技術文献】
【特許文献】
【０００５】
【特許文献１】特開２０１６−１４４５２０号公報
【発明の概要】
【発明が解決しようとする課題】
【０００６】
しかしながら、特許文献１に示すような従来のアクセサリーシステムによるアクセサリーでは、色を変更できるだけであり、デザインを変更したり、複雑な画像や映像を映し出すことができるものではないので、使用者が本当にその日の服装や気分に合ったアクセサリーを着用することは依然として難しく、ストレスが解消されない、という課題があった。また、様々な場面において、リラックスした状態を保つことが難しい、という問題も残ったままであった。
【０００７】
この発明は、上記のような課題を解決するためになされたものであり、使用者が本当にその日の服装や気分に合ったアクセサリーを着用することができ、かつ、ストレスが解消されてリラックスできる耳用の装飾具を提供することを目的とする。
【課題を解決するための手段】
【０００８】
上記目的を達成するため、この発明は、使用者が耳に装着する留め具を有する耳用の装飾具であって、前記使用者が所有する携帯情報端末と情報の送受信を可能にする通信部と、前記装飾具を前記使用者の耳に装着した場合に、他の人から見える位置に設けられた表示部と、前記通信部を介して、前記携帯情報端末からの情報を取得し、当該情報を内部に記憶する記憶部と、前記記憶部に記憶されている情報に基づいて、前記表示部に画像または映像を表示させる表示制御部と、前記装飾具を前記使用者の耳に装着した場合に、前記使用者の脳に対して超音波を出力する超音波スピーカと、前記記憶部に記憶されている情報に基づいて、前記超音波スピーカから出力する超音波の波動を決定する波動決定部とを備えることを特徴とする。
【発明の効果】
【０００９】
この発明の耳用の装飾具によれば、スマートフォンやＰＣ等の携帯情報端末から好みの画像や映像を自由に選んでデザインを変更することができるので、着せ替え感覚で本当にその日の服装や気分に合った装飾具を着用することができるとともに、超音波を出力する超音波スピーカが脳に近い耳の位置に存在するので、その超音波スピーカから出力される最適な超音波により脳をリラックスした状態にして、ストレスを取り除くことができる。
【図面の簡単な説明】
【００１０】
【図１】この発明の実施の形態１における耳用の装飾具の概略を示す外観図の一例である。
【図２】図１に示す耳用の装飾具を、使用者の耳に装着した状態を示す図である。
【図３】この発明の実施の形態１における耳用の装飾具の構成を示すブロック図の一例である。
【図４】使用者が携帯情報端末を介して画像または映像をダウンロードし、耳用の装飾具の表示部に表示させる流れを示す模式説明図である。
【図５】使用者が携帯情報端末を介して超音波を出力するトリガーをかける場合の処理の流れを示す模式説明図である。
【図６】この発明の実施の形態１における耳用の装飾具の構成を示すブロック図の別の一例である。
【図７】この発明の実施の形態１における耳用の装飾具の構成を示すブロック図のさらに別の一例である。
【図８】この発明の実施の形態２における耳用の装飾具の構成を示すブロック図の一例である。
【図９】使用者が携帯情報端末を介して自身のタイプを選択することにより、そのタイプを耳用の装飾具の表示部に表示させる流れを示す模式説明図である。
【発明を実施するための形態】
【００１１】
この発明は、イヤリングやピアス等、使用者が耳に装着する留め具を有する耳用の装飾具に関するものである。
以下、この発明の実施の形態について、図面を参照しながら詳細に説明する。
【００１２】
実施の形態１．
図１は、この発明の実施の形態１における耳用の装飾具の概略を示す外観図の一例であり、ここでは３つの主要パターンを紹介する。図１（ａ）はイヤリング・大型の耳用装飾具、図１（ｂ）はイヤリング・小型（固定イヤリング型）の耳用装飾具、図１（ｃ）はカフス型の耳用装飾具である。通常、女性のためのアクセサリーという認識が強いが、特に図１（ｂ）や（ｃ）は、男性でも女性でも着用することができるデザインとなっている。
【００１３】
図２は、図１（ａ）〜（ｃ）に示す耳用の装飾具を、使用者の耳に装着した状態を示す図である。図２（ａ）に示すように、イヤリング・大型の装飾具の場合には、耳たぶの部分の留め具により耳に固定され、それ以外の部分は揺れる形状になっている。図２（ｂ）に示すように、イヤリング・小型（固定イヤリング型）の装飾具の場合には、全体が耳たぶの部分に固定される形状になっている。図２（ｃ）に示すように、カフス型の装飾具の場合には、耳殻を取り囲むように固定される形状になっている。
【００１４】
図３は、図１または図２に示すようなこの発明の実施の形態１における耳用の装飾具の構成を示すブロック図の一例である。この図３に示すように、図１，図２に示すような耳用の装飾具１０は、通信部２、表示部３、記憶部４、表示制御部５、超音波スピーカ６、波動決定部７を備えている。また、この図３には、通信部２を介して装飾具１０と情報の送受信を行う携帯情報端末１も図示されている。
【００１５】
通信部２は、使用者が所有するスマートフォンやＰＣ等の携帯情報端末１と情報の送受信を可能にする通信機能を備えている。この通信機能としては、例えばＷｉ−ＦｉやＢｌｕｅｔｏｏｔｈ（登録商標）など、耳用の装飾具１０に内蔵できる程度の大きさであり、携帯情報端末１と無線で通信することができるものであれば、どのようなものであってもよい。なお、図３における破線の矢印は、無線通信を意味している。
【００１６】
表示部３は、装飾具１０を使用者の耳に装着した場合に、他の人から見える位置に設けられており（図１，図２に示す斜線部）、液晶、ＬＣＤ、有機ＥＬなど、様々な画像や映像を表示することができる表示パネルである。
【００１７】
記憶部４は、通信部２を介して、携帯情報端末１からの情報を取得し、当該情報を内部に記憶する。記憶部４に記憶される情報としては、１つの画像または映像であってもよいし、複数の画像または映像であってもよいが、ここでは、３つの記憶領域を有し、３つの画像または映像を記憶することができるものとして説明する。また、この図３においては、超音波の波動の種類についても、記憶部４に記憶されるものとして説明する。
【００１８】
表示制御部５は、記憶部４に記憶されている情報に基づいて、表示部３に画像または映像を表示させる。この際、第１番目の記憶領域に記憶されている画像または映像を表示部３に表示させるものとしてもよいし、例えば、この耳用の装飾具１０がタッチ式の切替スイッチを備えるようにして、使用者がその切替スイッチを操作することにより、記憶部４に記憶されている３つの画像または映像のうちのいずれかに切り替えて表示されるようにしてもよい。なお、ここではタッチ式の切替スイッチとして説明したが、全体のデザインなどに影響がなければ、プッシュボタン式等、どのような方式の切替スイッチであっても構わない。
【００１９】
そして、使用者は、その日の服装や気分に合わせて、表示部３に表示させたい画像や映像を、携帯情報端末１に表示された画像や映像の中から好みの画像や映像を自由に選んで耳用の装飾具１０に送信することにより、表示部３に表示されるデザインを変更することができるので、本当にその日の服装や気分に合った装飾具１０を着用することができる。
【００２０】
超音波スピーカ６は、装飾具１０を使用者の耳に装着した場合に、使用者の脳に対して超音波を出力するものである。
また、波動決定部７は、記憶部４に記憶されている情報に基づいて、超音波スピーカ６から出力する超音波の波動を決定する。なお、超音波の波動の決定の仕方については、ここでは、記憶部４に記憶されている情報に基づいて行われるものとする。
【００２１】
そして、波動決定部７により決定された波動の超音波が、超音波スピーカ６から出力される。
この場合、超音波を出力する超音波スピーカ６が脳に近い耳の位置に存在するので、この超音波スピーカ６から出力される最適な超音波により脳をリラックスした状態にして、使用者のストレスを取り除くことができる。
【００２２】
このリラックス効果については、例えば、アルファ波を出す音楽を出力し、その音楽を聴くことによるものが知られているが、音楽や音声等の音を出力する場合には、周囲にいる他の人に迷惑をかけるおそれがあるとともに、イヤホンを用いる場合には、耳をふさいでしまうことによる弊害もあった。
【００２３】
しかし、この発明における超音波スピーカ６によれば、音が出ないので、周囲にいる他の人に迷惑をかけるおそれもなく、また、耳をふさぐ必要もないので、完全にストレスなくリラックスすることができるものである。また、最適な超音波の出力により、単にリラックス状態を作り出すだけでなく、緊張を解きほぐして潜在能力を引き出すなど、自身の能力開発につなげることも可能である。
【００２４】
ここで、人間の脳波の状態と、リラックス状態との関係について簡単に説明する。人間の脳には、ベータ波（ガンマ波を含む）、アルファ波、シータ波、デルタ波という４つの脳波の状態があるが、長時間、単一の脳波が出るということは少なく、複数の脳波が混合された状態であることが多い。
【００２５】
一般的に、ベータ波（ガンマ波）では、集中度は分散傾向にあるが、注意力、認識力は高く、左脳（顕在意識）が強く中心で働いている。人間が起きているときの日常生活の状態であるが、緊張気味であり、様々な計算をしたり、考えたり、批判したり、判断したり、怒ったり、喜んだりしている。このベータ波（ガンマ波）は、注意力が必要な事柄を成し遂げる脳波である。
【００２６】
また、アルファ波では、集中度は集中状態にあり、右脳（潜在意識）が顕在意識よりも開いている。起きてはいるが、非常にリラックスした催眠状態にある。ただし、知覚は敏感で、創造性が高まっているので、勉強や作業をしたいときは、アルファ波の状態になるよう、音楽療法ＣＤをかけながら行うと効果的と言われる。また、健康と幸福感に必要な深いリラックス感を得たいときにも、アルファ波ＣＤが有効である。
通常、人間はベータ波（ガンマ波）で生活していることが多いが、集中してテレビや映画を見ているときはアルファ波になっている。
【００２７】
一方、シータ波では、集中していないか、ものすごく集中しているか、のいずれかであり、無意識で右脳（潜在意識）が全開している。催眠と覚醒の境界の、まどろんでいる状態でリラックスしており、依存症の克服などの行動強制プログラムや自己理想の実現、ディープラーニング、自己催眠、退行催眠などに適している。
【００２８】
また、デルタ波では、シータ波と同じく無意識で右脳（潜在意識）が全開しており、熟睡状態、夢を見ている状態、休息の状態など、リラックスしている。直感を得るようなワーク、顕在意識にたまったネガティブな考え方を捨て、潜在意識（自分の無意識）の持つ否定的でない情報のアクセスし、自分をより理解し、否定的な気持ちを捨てたり、心をクリアにするのに有効である。
【００２９】
図４は、使用者が携帯情報端末１を介して画像または映像をダウンロードし、耳用の装飾具１０の表示部３に表示させる流れを示す模式説明図である。ここで、画像または映像は、インターネットで選択を行い、ダウンロードできる専用サイトが用意されているものとして説明する。
【００３０】
図４（ａ）に示すように、使用者が所有する携帯情報端末１において、「デザイン」「リラックス」「コネクト」というメニューが表示されたアプリケーション画面から「デザイン」を選択すると、図４（ｂ）に示すように、様々な画像や映像が表示される。このように表示された画面の中から、使用者が気に入った画像または映像を選択して装飾具１０に送信、という処理を行うことにより、選択した画像または映像が装飾具１０に送信される。例えば、図４（ｂ）の左上の花の画像を選択して送信した場合、図４（ｃ）に示すように、装飾具１０の表示部３に、選択された花の画像が表示される。
【００３１】
なお、先に説明したように、この実施の形態１では、装飾具１０の記憶部４には３つの画像または映像が記憶されているので、装飾具１０に設けられた切替スイッチ（図示せず）により、記憶部４に記憶されている画像または映像の中から表示させる画像または映像を切り替えて表示するようにしてもよい。この場合には、図４（ｂ）において左上の花の画像を選択して送信すると、装飾具１０の記憶部４の１つの記憶領域に花の画像が記憶されるので、その後、装飾具１０の切替スイッチにより花の画像に切り替えて表示させるようにすればよい。
【００３２】
次に、装飾具１０を使用者の耳に装着した場合に、使用者の脳に対して最適な超音波を出力する処理の流れについて説明する。超音波が出力されるトリガーとしては、様々なものが考えられるが、ここでは、使用者が携帯情報端末１を介して、出力する超音波の波動を選択して送信することにより、超音波が出力されるものとする。
【００３３】
図５は、使用者が携帯情報端末１を介して超音波を出力するトリガーをかける場合の処理の流れを示す模式説明図である。
図５（ａ）に示すように、使用者が所有する携帯情報端末１において、「デザイン」「リラックス」「コネクト」というメニューが表示されたアプリケーション画面から「リラックス」を選択すると、図５（ｂ）に示すように、様々な目的に応じた状況の種類が表示される。
【００３４】
ここでは、スポーツ、座禅、睡眠、仕事の４つの状況が用意されており、この中から使用者が目的に応じた状況のアイコンを選択して装飾具１０に送信、という処理を行うことにより、その選択されたアイコンの状況が装飾具１０に送信され、記憶部４に記憶される。また、記憶部４には、これら４つの状況と、その状況に対応する最適な波動が記憶されている。そして、波動決定部７は、記憶部４に記憶された情報に基づいて、すなわち、選択されたアイコンの状況に対応する波動を、超音波スピーカ６から出力する超音波の波動として決定する。
【００３５】
それぞれのアイコンについては、前述の脳波の情報を踏まえた意味付けがされている。まず、ガンマ波が出る音域（４０ＣＰＳを中心とした、２６〜７０ＣＰＳの音域）を即座の認知や集中力を必要とするスポーツのような場面に適した状態とみなし、スポーツのアイコンが選ばれた場合には、その音域の超音波が出力される。また、アルファ波が出る音域のうち、１０〜１３ＣＰＳの音域を、ややリラックスした、セロトニンが一番出る状態であり、座禅をしているのと同じ状態であるとみなし、座禅のアイコンが選ばれた場合には、その音域の超音波が出力される。
【００３６】
また、ミッドアルファ波の音域（７〜９ＣＰＳの音域）を、完全にリラックスした入眠に適した状態とみなし、睡眠のアイコンが選ばれた場合には、その音域の超音波が出力される。また、シータ波が出る４〜７ＣＰＳの音域を記憶力や学習、ひらめき、洞察力を必要とするような仕事の場面に適した状態とみなし、仕事のアイコンが選ばれた場合には、その音域の超音波が出力される。
【００３７】
例えば、図５（ｂ）の中央下部の睡眠というアイコンを選択して送信した場合、装飾具１０に対して睡眠のアイコンに応じた波動の超音波、すなわち、ミッドアルファ波の７〜９ＣＰＳの超音波が送信される。これにより、図５（ｃ）に示すように、超音波スピーカ６から使用者の脳に対して、その波動の超音波が出力される。この結果、使用者は睡眠したい状況において最適な超音波（ミッドアルファ波）を受けて、リラックスした状態を保つことができる。
【００３８】
また、別のケースとして、使用者の心拍数に応じて超音波が出力されるようにすることも可能である。
図６は、この発明の実施の形態１における耳用の装飾具の構成を示すブロック図の別の一例である。この図６に示す耳用の装飾具２０は、図３のブロック図に示す装飾具１０と比べると、心拍数計測部８をさらに備えている。
【００３９】
心拍数計測部８は、装飾具２０において、耳に装着する留め具の部分に設けられており、装飾具２０を装着した使用者の耳たぶから、当該使用者の心拍数を計測し、記憶部４に記憶する。
そしてこの場合、波動決定部７は、記憶部４に記憶されている情報のうち、心拍数計測部８において計測された使用者の心拍数に応じて、超音波スピーカ６から出力させる超音波の波動の種類を決定する。すなわち、図５に示すような携帯情報端末１からの操作を行わなくても、使用者の心拍数に応じて波動の種類が決定されて、その波動の超音波が出力されるので、そのときの使用者の状態に応じてリラックスした状態にすることが可能となる。
【００４０】
なお、心拍数計測部８で計測された心拍数を、例えば図５（ｂ）の画面下部に示すように、どこかに表示させるようにしてもよい。これにより、現状の心拍数も把握することができるので、出力された超音波を聴いた結果、例えば、自身の心拍数が緊張状態（約１００以上）からリラックス状態（約７０〜８０）に変わったことを、数値やグラフなどにより使用者が一目見て効果がわかるようにすることも可能となる。
【００４１】
さらに、別のケースとして、使用者の汗の成分を分析し、使用者の心拍数と汗の成分とに応じて超音波が出力されるようにすることも可能である。
図７は、この発明の実施の形態１における耳用の装飾具の構成を示すブロック図のさらに別の一例である。この図７に示す耳用の装飾具３０は、図６のブロック図に示す装飾具２０と比べると、汗分析部９をさらに備えている。
【００４２】
汗分析部９は、装飾具２０において、耳に装着する留め具の部分に設けられており、装飾具２０を装着した使用者の耳たぶから、当該使用者の汗の成分を分析し、記憶部４に記憶する。
そしてこの場合、波動決定部７は、記憶部４に記憶されている情報のうち、心拍数計測部８において計測された使用者の心拍数および汗分析部９において分析された使用者の汗の成分に応じて、超音波スピーカ６から出力させる超音波の波動の種類を決定する。すなわち、図５に示すような携帯情報端末１からの操作を行わなくても、使用者の心拍数と汗の成分とに応じて波動の種類が決定されて、その波動の超音波が出力されるので、より詳細にそのときの使用者の状態に応じてリラックスした状態にすることが可能となる。
【００４３】
なお、心拍数計測部８で計測された心拍数と同様に、汗分析部９で分析された汗の成分についても、どこかに表示させるようにしてもよい。これにより、現状の心拍数とともに汗の成分も把握することができるので、出力された超音波を聴いた結果、例えば、自身の心拍数や汗の成分が緊張状態（約１００以上）からリラックス状態（約７０〜８０）に変わったことを、数値やグラフなどにより使用者が一目見て効果がわかるようにすることも可能となる。
【００４４】
以上のように、この発明の実施の形態１の耳用の装飾具１０，２０，３０によれば、スマートフォンやＰＣ等の携帯情報端末１から好みの画像や映像を自由に選んで表示部３のデザインを変更することができるので、着せ替え感覚で本当にその日の服装や気分に合った装飾具を着用することができるとともに、超音波を出力する超音波スピーカ６が脳に近い耳の位置に存在するので、その超音波スピーカ６から出力される最適な超音波により脳をリラックスした状態にして、ストレスを取り除くことができる。
【００４５】
実施の形態２．
図８は、図１または図２に示すようなこの発明の実施の形態２における耳用の装飾具の構成を示すブロック図の一例である。なお、実施の形態１における図３，図６，図７のブロック図で説明したものと同様の構成には、同一の符号を付して重複した説明を省略する。この実施の形態２における耳用の装飾具４０は、実施の形態１における図６に示す耳用の装飾具２０と比べて、心理健康状態判断部１１をさらに備えている。
【００４６】
心理健康状態判断部１１は、心拍数計測部８により計測された心拍数に基づいて、使用者の心理状態や健康状態を判断する判断部である。
そして、表示制御部５は、心理健康状態判断部１１において判断された心理状態や健康状態に基づいて、表示部３に表示されている画像または映像の表示を、その判断された心理状態や健康状態に応じた発色パターンに変化させる。
【００４７】
なお、この図８に示す例では、図６に示す耳用の装飾具２０に、心理健康状態判断部１１を追加した構成であるが、図７に示す耳用の装飾具３０に、心理健康状態判断部１１を備えるようにしてもよいことは、言うまでもない。
【００４８】
また、心理健康状態判断部１１による判断に代えて、使用者が携帯情報端末１を介して自身のタイプを選択することにより、そのタイプに応じた発色パターンに変化させて、表示部３に表示されている画像または映像の表示を変化させるようにしてもよい。
図９は、使用者が携帯情報端末１を介して自身のタイプを選択することにより、そのタイプを耳用の装飾具４０の表示部３に表示させる流れを示す模式説明図である。
【００４９】
ここで、携帯情報端末１を介して自身のタイプを選択する方法については、あらかじめ心理テスト等を実施したり、その場で心理テスト等を実施することにより得られた結果を選択して、装飾具４０に送信するようにしてもよいし、自身が把握している自身のタイプを選択画面から選択して、装飾具４０に送信するようにしてもよい。
【００５０】
例えば、図９（ａ）に示すように、使用者が所有する携帯情報端末１において、「デザイン」「リラックス」「コネクト」というメニューが表示されたアプリケーション画面から「コネクト」を選択すると、あらかじめ行われた心理テスト等の結果や、そこで実施された心理テスト等の結果に基づいて、図９（ｂ）に示すように、その使用者のタイプおよび長所が表示される。そして、その結果に応じて、図９（ｃ）に示すように、装飾具４０の表示部３に、そのタイプに応じた色や点滅の表示が行われる。
【００５１】
例えば、図９（ｂ）に表示された結果が内向型というタイプの場合には、図９（ｃ）では表示されているデザインがゆっくり点滅し、図９（ｂ）に表示された結果が外向型というタイプの場合には、図９（ｃ）では表示されているデザインが早く点滅するなど、その使用者のタイプによってその発色パターンが変化する。
【００５２】
なお、ここでは単に、内向型か外向型か、というタイプで説明したが、例えば、芸術家タイプ、研究者タイプなど、職業別のタイプなどで分類するようにしてもよい。なお、これらのタイプ別の分類については、様々な手法が知られており、それらの中のいずれを用いてもよいことは言うまでもない。
【００５３】
このように、装飾具４０が発光することにより、自分と同じ趣向の人や、異なる趣向の人を一目で見つけることができ、また、自分の趣向も一目で見せることができるので、リアルなコミュニケーションにつなげることが可能となり、パーティやイベント、セミナー会場などで、他人とすれ違う際などに、他人とのコミュニケーションを取りやすくすることができる。
【００５４】
また、他人とすれ違った際に、どこでどんな人とすれ違ったか、その時にどのような心理状態になったかということも取得できるような機能を備え、スマートフォン等の携帯情報端末１のアプリケーションと連携するようにすれば、性格分析なども行うことができ、その結果を表示部３で表示させるようにして、他人にそれを見せたり、他人の性格を一目で見てわかるようにすることも可能となる。
【００５５】
さらに、この耳用の装飾具４０を装着した人同士がすれ違った際に、赤外線センサーや光通信を用いて、お互いにデータの交換ができるような機能を備えるようにすれば、より細かいデータ（例えば、食の好みなど）をあらかじめアプリケーションに入力しておくことで、自身のデータを交換してもよいと考えられる場面で、より深い交流のきっかけを作ることも可能となる。
【００５６】
以上のように、この発明の実施の形態２の耳用の装飾具４０によれば、スマートフォンやＰＣ等の携帯情報端末１から好みの画像や映像を自由に選んで表示部３のデザインを変更することができるので、着せ替え感覚で本当にその日の服装や気分に合った装飾具を着用することができるとともに、超音波を出力する超音波スピーカ６が脳に近い耳の位置に存在するので、その超音波スピーカ６から出力される最適な超音波により脳をリラックスした状態にして、ストレスを取り除くことができるという実施の形態１と同様の効果に加え、装飾具４０が発光することにより、他人とのコミュニケーションを取りやすくすることができる。
【００５７】
また、上記の実施の形態１，２における耳用の装飾具１０，２０，３０，４０において、さらに周囲の環境を録画・録音する機能を備えるようにすれば、使用者の周囲の環境の様子を情報収集することができ、サービス提供の分析などに役立てることが可能となる。
【００５８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５９】
１  携帯情報端末
２  通信部
３  表示部
４  記憶部
５  表示制御部
６  超音波スピーカ
７  波動決定部
８  心拍数計測部
９  汗分析部
１０，２０，３０，４０  耳用の装飾具
１１  心理健康状態判断部
【図１】
2018074460.tif 000003
【図２】
2018074460.tif 000004
【図３】
2018074460.tif 000005
【図４】
2018074460.tif 000006
【図５】
2018074460.tif 000007
【図６】
2018074460.tif 000008
【図７】
2018074460.tif 000009
【図８】
2018074460.tif 000010
【図９】
2018074460.tif 000011